【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
洞手術に使用するのに適する外科用電動装置として回転可能なカッティング・ブレード・アセンブリと一緒に使用可能なハンドルであって、上部と下部とを具備するハンドルにおいて：
該上部が、カッティング面を形成する回転可能な内側部材及びカッティング・ウィンドウを形成する外側チューブとを含む該カッティング・ブレード・アセンブリに接続可能な遠位部を形成していて；
該下部が、該上部の該遠位部と９０°未満の角度を成すように該上部から下向きに伸びており；
該上部の該遠位部が手動で回転可能なコレット・アセンブリを含み、該コレット・アセンブリは、該コレット・アセンブリの該手動回転の結果該外側チューブが回転しそれによって該カッティング・ウィンドウの方位が変更されるように、該外側チューブに接続可能である；
ハンドル。
【請求項２】
さらに、モーター・アセンブリを備え、該モーター・アセンブリの少なくとも一部が該下部内に配置される、請求項１に記載のハンドル。
【請求項３】
該上部が、洞手術に使用可能であるように構成される該可動カッティング・ブレード・アセンブリに接続可能である、請求項１または２に記載のハンドル。
【請求項４】
該ハンドルが吸引源と一緒に使用可能であり、該上部が該吸引源に接続可能な吸引カップリングを形成する近位端を含む、請求項１から３までのうちいずれか１つの請求項に記載のハンドル。
【請求項５】
該上部の該遠位部が遠位端を形成し、該上部が該吸引カップリングから該遠位端まで伸びる吸引通路を形成する、請求項４に記載のハンドル。
【請求項６】
該吸引通路が該上部を通り抜ける実質的に直線的な経路に沿って伸びる、請求項５に記載のハンドル。
【請求項７】
該ハンドルが潅注液供給源と一緒に使用可能であり、該上部の該近位端が該潅注液供給源に接続可能な潅注液カップリングを形成する、請求項４から６までのうちいずれか１つの請求項に記載のハンドル。
【請求項８】
該上部が該潅注液位カップリングから該カッティング・ブレード・アセンブリまで伸びる潅注液通路を形成する、請求項７に記載のハンドル。
【請求項９】
さらに電気コードを含み、該下部が近位端上部を含み、電気コード・カップリングが該吸引カップリング及び該潅注液カップリングに実質的に隣接するように該上部の近位端に形成され、該電気コードが該電気コード・カップリングを通じて該モーター・アセンブリに接続可能である、請求項６から８までのうちいずれか１つの請求項に記載のハンドル。
【請求項１０】
回転可能なカッティング・ブレード・アセンブリ及び潅注液供給源と一緒に外科用電動装置として使用可能なハンドル・アセンブリであって、ハンドルを具備するハンドル・アセンブリにおいて：
該ハンドルが、該回転可能なカッティング・ブレード・アセンブリに接続可能な遠位部を有するハンドルを有しており、該ハンドルが潅注液カップリングを形成する近位端を含み、該ハンドルが該潅注液カップリングから該カッティング・ブレード・アセンブリまで伸びる潅注液通路を形成していて；該ハンドルが、また、該遠位部から吸引カップリングまで伸びる吸引通路を形成し、該潅注液カップリングが該ハンドルの該近位端において該吸引カップリングと隣接する；
ハンドル・アセンブリ。
【請求項１１】
該ハンドルが上部及び下部を形成し、該上部が該カッティング・ブレード・アセンブリに接続可能であり、該下部が該上部から下向きに伸びる；請求項１０に記載のハンドル・アセンブリ。
【請求項１２】
該下部が該上部の該遠位部と９０°未満の角度を成すように該上部から下向きに伸びる、請求項１１に記載のハンドル・アセンブリ。
【請求項１３】
さらに、モーター・アセンブリを備え、該モーター・アセンブリの少なくとも一部が該下部内に配置される、請求項１１または請求項１２に記載のハンドル・アセンブリ。
【請求項１４】
該上部が、カッティング面を形成する回転可能な内側部材と、カッティング・ウィンドウを形成する外側チューブとを含む該回転可能なカッティング・ブレード・アセンブリに接続可能である、請求項１１から１３までのうちいずれか１つの請求項に記載のハンドル・アセンブリ。
【請求項１５】
該上部の該遠位部が回転可能なコレット・アセンブリを含み、該コレット・アセンブリの手動回転の結果該外側チューブが回転し、それによって該カッティング・ウィンドウの方位が変更されるように該コレット・アセンブリが該外側チューブに接続可能である、請求項１４に記載のハンドル・アセンブリ。
【請求項１６】
該上部が洞手術に使用可能であるように構成される該回転可能なカッティング・ブレード・アセンブリに接続可能である、請求項１１から１５までのうちいずれか１つの請求項に記載のハンドル・アセンブリ。
【請求項１７】
該吸引通路が該上部を通り抜ける実質的に直線的な経路に沿って伸びる、請求項１１から１６までのうちいずれか１つの請求項に記載のハンドル・アセンブリ。
【請求項１８】
さらに、該潅注液カップリングにおいて、該ハンドルの該近位端に接続されるコネクタを備え、該コネクタが該ハンドルの該潅注液通路と接する潅注液入口通路を形成する、請求項１１から１７までのうちいずれか１つの請求項に記載のハンドル・アセンブリ。
【請求項１９】
該コネクタが該上部の該吸引通路と接する吸引入口通路を形成する、請求項１８に記載のハンドル・アセンブリ。
【請求項２０】
該吸引入口通路が該潅注液入口通路に隣接しこれと垂直方向に間隔を置いて配置される、請求項１９に記載のハンドル・アセンブリ。
【請求項２１】
該上部が、該コネクタを該上部に固定するために、該コネクタに形成される少なくとも１つの開口とかみ合い可能な少なくとも１つのデテントを形成する、請求項１６から２０までのうちいずれか１つの請求項に記載のハンドル・アセンブリ。
【請求項２２】
該少なくとも１つのデテントが該上部の円周方向に相対する側に配置される２つのデテントを含み、該少なくとも１つの開口が該コネクタの該２つのデテントに対応する位置に形成される２つの開口を含む、請求項２１に記載のハンドル・アセンブリ。
【請求項２３】
該コネクタが、該少なくとも１つの開口に隣接する少なくとも１つのグリップ部を形成する、請求項２１または請求項２２に記載のハンドル・アセンブリ。
【請求項２４】
該少なくとも１つのグリップ部が、該コネクタの外面に形成される少なくとも１つの溝である、請求項２３に記載のハンドル・アセンブリ。
【請求項２５】
該上部及び該コネクタが実質的に均等の外部を形成するように、該コネクタが、該上部の該近位端の外周に対応する外周によって形成される、請求項１８から２４までのうちいずれか１つの請求項に記載のハンドル・アセンブリ。
【請求項２６】
該ハンドル・アセンブリが、該潅注液供給源に接続される潅注液供給管及び該吸引源に接続される吸引管と一緒に使用可能であり、該コネクタの該潅注液入口通路が、該潅注液供給管に接続可能な潅注液入口カップリングを形成し、該コネクタの該吸引入口通路が該吸引管に接続可能な吸引入口カップリングを形成する、請求項２５に記載のハンドル・アセンブリ。
【請求項２７】
該コネクタが合成樹脂で作られる、請求項１８から２６までのうちいずれか１つの請求項に記載のハンドル・アセンブリ。
【請求項２８】
可動カッティング・ブレード・アセンブリ、潅注液供給源及び電気コードと一緒に外科用電動装置として使用可能なハンドルであって：
該カッティング・ブレード・アセンブリに接続可能な遠位部を形成する上部であり、該上部が該潅注液供給源に接続可能な潅注液カップリングを形成する近位端を含む、上部と、
該上部から下向きに伸びる下部であり、該下部が該電気コードに接続可能な電気コード・カップリングを形成する近位端上部を含み、該電気コード・カップリングが実質的に該潅注液カップリングに隣接して配置される、下部と、
を備える、ハンドル。